(57)【要約】【課題】一人用に適した適当な内容積を有し、湯を張るための時間を節約できる簡易浴槽を提案する。【解決手段】浴室内へ搬入可能な簡易浴槽であって、前面及び上面が開放されているとともに、左右一対の側板１０を有しており、これら両側板１０の前部の間に出入口Ｅが形成された浴槽本体４と、前記出入口Ｅに水密にかつ着脱自在に取り付けられた開閉具３０と、を具備する。前記浴槽本体４は、側方から見た断面形状において、浴槽本体４の上辺Ｓｕの前側から前辺Ｓｆの上側に至る部分を内方にくい込ませるように形成された上側凹入部ＤＵを有しており、この上側凹入部ＤＵは浴槽本体４内に形成された利用者が座るための着座面２２より高い位置に設けられており、側方から見た上側凹入部ＤＵの縁部及び前記側板１０の下部前縁に沿って前記開閉具３０が形成されている。【選択図】図１
2019030665.tif 000002
【特許請求の範囲】
【請求項１】
前面及び上面が開放されているとともに、左右一対の側板(１０)を有しており、これら両側板(１０)の前部の間に出入口(Ｅ)が形成された浴槽本体(４)と、
前記出入口(Ｅ)に水密にかつ着脱自在に取り付けられた開閉具(３０)と、
を具備し、
浴室内へ搬入可能であり、かつ浴槽本体(４)内に利用者が座るための着座面(２２)が形成された、イス型の簡易浴槽であって、
前記浴槽本体(４)は、側方から見た断面形状において、浴槽本体(４)の上辺(Ｓｕ)の前側から前辺(Ｓｆ)の上側に至る部分を内方にくい込ませるように形成された上側凹入部(ＤＵ)を有しており、
この上側凹入部(ＤＵ)は前記着座面(２２)より高い位置に設けられており、
側方から見た上側凹入部(ＤＵ)の縁部及び前記側板(１０)の下部前縁に沿って前記開閉具(３０)が形成されたことを特徴とする、簡易浴槽。
【請求項２】
前記上側凹入部(ＤＵ)の側方から見た形状は、前記浴槽本体(４)の上端から下方へ延びる縦縁部(ｅ１)と、前記側板(１０)の前端から後方へ延びる横縁部(ｅ２)とからなり、
前記開閉具(３０)は、前記縦縁部(ｅ１)に沿って装着可能な仕切り用上板(３０ａ)と、前記横縁部(ｅ２)に沿って装着可能な仕切り用中板(３０ｂ)と、前記側板(１０)の下部前縁に沿って装着可能な下仕切り板(３０ｃ)とで形成されていることを特徴とする、請求項１記載の簡易浴槽。
【請求項３】
前記出入口(Ｅ)に水密にかつ着脱自在に取り付けられた開閉具(３０)に代えて、出入口(Ｅ)に水密にかつ浴槽本体(４)からの分離不能に取り付けられた開閉具(３０)を備えており、
前記出入口(Ｅ)の口縁(Ｂ)の一部に設けたヒンジ機構(３４)を介して前記開閉具(３０)を浴槽本体(４)に対して回転可能に設けるとともに、前記口縁(Ｂ)の残りの部分に沿って、前記開閉具(３０)及び浴槽本体(４)を着脱可能に連結するファスナー(ｆ)が形成されたことを特徴とする、請求項１に記載の簡易浴槽。
【請求項４】
前記開閉具(３０)を柔軟な材料で形成するとともに、
前記出入口(Ｅ)の口縁(Ｂ)全体において前記開閉具(３０)及び浴槽本体(４)を着脱可能に連結するファスナー(ｆ)が形成されたことを特徴とする、請求項１に記載の簡易浴槽。
【請求項５】
浴槽本体である上面開口の有底筒状の浴槽袋(６０)と、この浴槽袋(６０)の少なくとも後面部(６０ｂ)及び左右一対の側面部(６０ｃ)を支える袋支持体(５０)とを具備しており、
前記浴槽袋(６０)は、柔軟な材料で形成されているとともに、前面部(６０ｄ)に防水式の開閉手段(６３)を有する開口部(６２)が形成されており、
前記袋支持体(５０)は、前記浴槽袋(６０)の側面部(６０ｃ)を保持する左右一対の側方支持板(５２)を、前記浴槽袋(６０)の後側を左右方向に延びるジョイント板(５４)で連結させており、
かつ前記浴槽袋(６０)の後方に位置させて前記袋支持体(５０)に組み付けられた座台(５８)の上に、浴槽袋(６０)を介して利用者が着座することが可能に設け、
前記浴槽袋(６０)は、側方から見た断面形状において、浴槽袋(６０)の上辺(Ｓｕ)の前側から前辺(Ｓｆ)の上側に至る部分を内方にくい込ませるように形成された上側凹入部(ＤＵ)を有していることを特徴とする、簡易浴槽。
【請求項６】
前記座台(５８)を袋支持体(５０)に対して着脱自在に取り付けるとともに、
前記一対の側方支持板(５２)をジョイント板(５４)の両端に連結させ、この連結箇所及びジョイント板(５４)の幅方向中間部に屈折線(５６)と形成することで、前記座台(５８)を袋支持体(５０)から取り外した状態で、浴槽袋(６０)を取り付けたままで折り畳み可能に形成したことを特徴とする、請求項５に記載の簡易浴槽。
【発明の詳細な説明】
【技術分野】
【０００１】
本発明は、簡易浴槽、特に一人用の仮設用簡易浴槽に関する。
【背景技術】
【０００２】
近年、介助の必要な人（例えば高齢者）の生活の質を高めるために様々な工夫が行われている。特に要介助者に入浴をさせる場合に、介助者が要介助者の身体を抱きかかえて浴室に常設された浴槽に入れるということが行われてきたが、そうすると介助者が腰を痛めるなどの危険があり、また浴室の床が濡れている場合に、要介助者を抱きかかえた介助者が足を滑らせるなどのおそれもある。
こうした問題点を解決するために、浴槽の壁の一部に扉を設け、壁を乗り越えずに要介助者が浴槽内に入ることを可能とすることが提案されている。
特許文献１の浴槽は、浴室の床に固定された常設のものであって、上方から見て長方形の周壁を有し、この周壁のうち長方形の長辺の幅方向中間部を切り欠いて出入口を設けている。
この出入口の口縁に一対の縦向きの溝を形成し、これらの溝に両端部を嵌め込んで開閉扉を水蜜に挿入したものである。
開閉扉は、３つの仕切り板（仕切り用の上板・中板・下板）で構成している。
特許文献２の浴槽は、浴槽の床に置かれた上端開放の箱状のものであり、浴槽本体と回転扉と椅子とからなる。
前記浴槽本体は、四角形の底板の後辺から後板を、底板の左右両辺から、後端を後板に連続させた一対の側板を起立させてなり、側板の前部の間に出入口を形成している。
前記回転扉は、前記出入口を覆うとともに、左右方向の一端を一方の側板の前端に枢着（蝶番で連結することをいう）させている。
椅子は、前記浴槽本体の底板の後部に配置されている。
なお、前記両側板の前端面は、前下方から後上方へ延びる傾斜面にされており、これら側板の前端面に沿って前記回転扉が側方から見て斜めに取り付けられている。
【先行技術文献】
【特許文献】
【０００３】
【特許文献１】特開２００６−２１８０８６
【特許文献２】特開平１０−８０４５６
【特許文献３】特開平１１−１９１５５
【発明の概要】
【発明が解決しようとする課題】
【０００４】
特許文献１では、浴室に常設された浴槽の周壁の一部に出入口を設け、この出入口から要介助者が入った後で出入口を扉で閉じるようにしているので、予め浴槽に湯を張ることができない。従って、要介助者が浴槽に入った後に出入口を扉で塞ぎ、次に浴槽に湯を入れることになる。しかしながら、常設の浴槽に所定の水位まで湯を入れるのには時間がかかる。特に冬季などには、浴槽内の湯が所定の水位に達するまでの間に、着衣を脱いだ要介助者が冷気にさらされることになり、それが原因で体調を崩す可能性もある。
特許出願人は、こうした問題を鋭意検討し、要介助者が入る浴槽は、内容積が大きすぎてはならず、短時間に湯を張れるものであることが必要であると考えるに至った。
特許文献２のものでは、浴槽の側面の前面が後上方への傾斜面になっており、この傾斜面に沿って回転扉が取り付けられている。しかしながら、要介助者が椅子に座った状態で要介助者の大腿部の上側、或いは、椅子の下側に大きな空間が存在している。
さらに本出願人は、座った姿勢の入浴者の身体を収容した柔軟な浴槽袋を外側から支える袋支持体を用いて内容積の調整と浴槽の迅速な設定の要請に応えることを想起した。
介助を必要とする人の入浴のために浴槽袋を使用するというアイディアは、例えば特許文献３に存在する。
しかしながら、これは寝たきりの被介助者の身体を、横向きの袋に収容し、さらに被介助者の頭部を支える枕代わりの支持台を袋の下側に配置するものであり、いわば寝袋方式のものである。被介助者といっても、介助レベルは人様々であり、寝たきりの段階に至っていない人には、座った状態を維持したままで入浴させたいという要請がある。
【０００５】
本発明の第１の目的は、一人用に適した適当な内容積を有し、湯を張るための時間を節約できる簡易浴槽を提案することである。
本発明の第２の目的は、使い勝手の良い簡易浴槽を提案することである。
本発明の第３の目的は、座位姿勢で浴槽袋を使用して入浴できる簡易浴槽を提案することである。
【課題を解決するための手段】
【０００６】
第１の手段は、浴室内へ搬入可能な簡易浴槽であって、
前面及び上面が開放されているとともに、左右一対の側板１０を有しており、これら両側板１０の前部の間に出入口Ｅが形成された浴槽本体４と、
前記出入口Ｅに水密にかつ着脱自在に取り付けられた開閉具３０と、
を具備し、
前記浴槽本体４は、側方から見た断面形状において、浴槽本体４の上辺Ｓｕの前側から前辺Ｓｆの上側に至る部分を内方にくい込ませるように形成された上側凹入部ＤＵを有しており、
この上側凹入部ＤＵは浴槽本体４内に形成された利用者が座るための着座面２２より高い位置に設けられており、
側方から見た上側凹入部ＤＵの縁部及び前記側板１０の下部前縁に沿って前記開閉具３０が形成されている。
【０００７】
本手段では、図１及び図１１に示す如く、浴槽本体４は、側方から見た断面形状において、浴槽本体４の上辺Ｓｕの前側から前辺Ｓｆの上側に至る部分を内方にくい込ませるように形成された上側凹入部ＤＵを有している。この上側凹入部ＤＵは浴槽本体４内に形成された利用者が座るための着座面２２より高い位置に設けられており、利用者が着座面２２に座って浴槽内で湯につかる際に邪魔にならないように形成されている。利用者が浴槽内で座る姿勢をとるときに、本来であれば、利用者の太腿の上側に無駄な空間ができる。他方、本手段では、前記上側凹入部を設けることで、簡易浴槽の内容積を削減することができ、節水が可能となるとともに、浴槽内に湯を張る時間も節約することができる。
なお、
【０００８】
「上側凹入部」とは、側方から見た断面形状において浴槽本体を内方へ凹ませた箇所をいい、側板のみの構造をいうのではない。この説明は、後述の「下側凹入部」に援用する。
「…縁に沿って」という言葉は、浴槽本体全体から見て、縁から大きく離れず、縁と並行して延びているという程度の意味であり、縁の近傍にあることを要しない。
「側板」は、浴槽本体の側方を仕切るものであり、剛性を有する素材（木材や合成樹脂など）で形成されたものに限らず、柔軟な材料（シートなど）で形成されていてもよい。
なお、前記浴槽本体４は、側方から見た断面形状において、浴槽本体４の下辺Ｓｌの後側から後辺Ｓｒの下側に至る部分を内方にくい込ませるように形成された下側凹入部ＤＬを有しており、側方から見た下側凹入部ＤＬの縁部及び前記側板１０の下部前縁に沿った形状の底板６が前記一対の側板１０の間に形成されている。
下側凹入部ＤＬを設けることにより、さらに簡易浴槽の内容積を削減することができ、これにより、浴槽内に湯を張る時間を節約することができる。なお、下側凹入部ＤＬを設けるとともに、前述の上側凹入部ＤＵを設けてもよい
【０００９】
第２の手段は、第１の手段を有し、かつ
前記上側凹入部ＤＵの側方から見た形状は、前記浴槽本体４の上辺Ｓｕから下方へ延びる縦縁部ｅ１と、前記側板１０の前辺Ｓｆから後方へ延びる横縁部ｅ２とからなり、
前記開閉具３０は、前記縦縁部ｅ１に沿って装着可能な仕切り用上板３０ａと、前記横縁部ｅ２に沿って装着可能な仕切り用中板３０ｂと、前記側板１０の下部前縁に沿って装着可能な下仕切り板３０ｃとで形成されている。
【００１０】
本手段では、図１に示す上側凹入部ＤＵの側方から見た形状に対応した開閉具３０の態様を提案している。
まず、前記上側凹入部ＤＵの側方から見た形状は、前記浴槽本体４の上辺Ｓｕから下方へ延びる縦縁部ｅ１と、前記側板１０の前辺Ｓｆから後方へ延びる横縁部ｅ２とで形成されている。
そして、前記開閉具３０は、前記縦縁部ｅ１に沿って装着可能な仕切り用上板３０ａと、前記横縁部ｅ２に沿って装着可能な仕切り用中板３０ｂと、前記側板１０の下部前縁に沿って装着可能な下仕切り板３０ｃとからなる。こうすることにより、側板１０の下部前縁及び上側凹入部ＤＵの縁部の輪郭に対応して、嵩張らず、コンパクトな大きさの簡易浴槽を形成することができる。
【００１１】
第３の手段は、第１の手段を有し、かつ
前記出入口Ｅに水密にかつ着脱自在に取り付けられた開閉具３０に代えて、出入口Ｅに水密にかつ浴槽本体４からの分離不能に取り付けられた開閉具３０を備えており、
前記出入口Ｅの口縁Ｂの一部に設けたヒンジ機構３４を介して前記開閉具３０を浴槽本体４に対して回転可能に設けるとともに、前記口縁Ｂの残りの部分に沿って、前記開閉具３０及び浴槽本体４を着脱可能に連結するファスナーｆが形成された。
【００１２】
本手段では、図８に示す如く、前記出入口Ｅの口縁Ｂの一部に設けたヒンジ機構３４を介して前記開閉具３０を浴槽本体４に対して回転可能に設けるとともに、前記口縁Ｂの残りの部分に沿って、前記開閉具３０及び浴槽本体４を着脱可能に連結するファスナーｆが形成されたから、ファスナーｆの解除及び開閉具３０の開方向への回転操作により開閉具３０を開くことができ、便利である。
【００１３】
第４の手段は、第３の手段を有し、かつ
前記開閉具３０を柔軟な材料で形成するとともに、
前記出入口Ｅの口縁Ｂ全体において前記開閉具３０及び浴槽本体４を着脱可能に連結するファスナーｆが形成された。
【００１４】
本手段では、前記開閉具３０を柔軟な材料で形成するとともに、図９に示すように、前記出入口Ｅの口縁Ｂ全体において前記開閉具３０及び浴槽本体４を着脱可能に連結するファスナーｆを形成することができる。ファスナーを接合する一度の操作により、開閉具３０を開閉することができるので、例えば複数枚の仕切り板をそれぞれ開口部に適用する場合と比べて手数が少なくて済み、使い勝手がよい。
【００１５】
第５の手段は、浴槽本体である上面開口の有底筒状の浴槽袋６０と、この浴槽袋６０の少なくとも後面部６０ｂ及び左右一対の側面部６０ｃを支える袋支持体５０とを具備しており、
前記浴槽袋６０は、柔軟な材料で形成されているとともに、前面部６０ｄに防水式の開閉手段６３を有する開口部６２が形成されており、
前記袋支持体５０は、前記浴槽袋６０の側面部６０ｃを保持する左右一対の側方支持板５２を、前記浴槽袋６０の後側を左右方向に延びるジョイント板５４で連結させており、
かつ前記浴槽袋６０の後方に位置させて前記袋支持体５０に組み付けられた座台５８の上に、浴槽袋６０を介して利用者が着座することが可能に設け、
前記浴槽袋６０は、側方から見た断面形状において、浴槽袋６０の上辺Ｓｕの前側から前辺Ｓｆの上側に至る部分を内方にくい込ませるように形成された上側凹入部ＤＵを有している。
【００１６】
本手段では、図１２に示す如く、前面部６０ｄに防水式の開閉手段６３を有する開口部６２が形成された柔軟な浴槽袋６０を、袋支持体５０で支持しており、袋支持体５０に組み込まれた座台５８に浴槽袋６０を介して利用者が着座することができるように構成している。従って前記開口部６２の開閉が容易であり、座位姿勢で快適に入浴することができる。座って姿勢を保つことができる身体機能を残している利用者に対しては、座位姿勢での入浴習慣を続けることが身体機能を維持する上で好ましい。
また本手段では、浴槽袋６０は、側方から見た断面形状において、浴槽袋６０の上辺Ｓｕの前側から前辺Ｓｆの上側に至る部分を内方にくい込ませるように形成された上側凹入部ＤＵを有する。これにより前記上側凹入部ＤＵを設けない場合に比較して、使用する水量を節約することができる。また浴槽袋６０内の湯の全圧が低くなるから、袋支持体５０の支持力の設計値を低くすることができる。
【００１７】
第６の手段は、第５の手段を有し、かつ
前記座台５８を袋支持体５０に対して着脱自在に取り付けるとともに、
前記一対の側方支持板５２をジョイント板５４の両端に連結させ、この連結箇所及びジョイント板５４の幅方向中間部に屈折線５６と形成することで、前記座台５８を袋支持体５０から取り外した状態で、浴槽袋６０を取り付けたままで折り畳み可能に形成した。
【００１８】
本手段では、図１３に示す如く、前記袋支持体５０の左右一対の側方支持板５２をジョイント板５４の両端に連結させ、この連結箇所及びジョイント板５４の幅方向中間部に屈折線５６と形成することで、前記座台５８を袋支持体５０から取り外した状態で、浴槽袋６０を取り付けたままで折り畳み可能に形成したから、保管状態で場所を取らず、使い勝手がよい。
【発明の効果】
【００１９】
第１の手段に係る発明によれば、浴槽本体４は、側方から見た断面形状において、浴槽本体４の上辺Ｓｕの前側から前辺Ｓｆの上側に至る部分を内方にくい込ませるように形成された上側凹入部ＤＵを有しているから、浴槽の容積を小さくすることができ、簡易浴槽内に所要水位まで湯を張るのに時間がかからない。
第２の手段に係る発明によれば、前記開閉具３０は、前記上側凹入部ＤＵの縦縁部ｅ１に沿って装着可能な仕切り用上板３０ａと、上側凹入部ＤＵの横縁部ｅ２に沿って装着可能な仕切り用中板３０ｂと、前記側板１０の下部前縁に沿って装着可能な下仕切り板３０ｃとで形成されているから、前記側板１０の下部前縁及び上側凹入部ＤＵの縁部に対応して、コンパクトな大きさの簡易浴槽を形成することができる。
第３の手段に係る発明によれば、前記出入口Ｅの口縁Ｂの一部に設けたヒンジ機構３４を介して前記開閉具３０を浴槽本体４に対して回転可能に設けるとともに、前記口縁Ｂの残りの部分に沿って、前記開閉具３０及び浴槽本体４を着脱可能に連結するファスナーｆが形成されたから、ファスナーｆの解除及び開閉具３０の開方向への回転操作により開閉具３０を開くことができ、便利である。
第４の手段に係る発明によれば、前記開閉具３０を柔軟な材料で形成するとともに、前記出入口Ｅの口縁Ｂ全体において前記開閉具３０及び浴槽本体４を着脱可能に連結するファスナーｆが形成されたから、ファスナーを接合する一度の操作により、開閉具３０を開閉することができ、使い勝手がよい。
第５の手段に係る発明によれば、前面部６０ｄに防水式の開閉手段６３を有する開口部６２が形成された柔軟な浴槽袋６０を、袋支持体５０で支持しているから、開口部６２の開閉が容易であり、
袋支持体５０に組み込まれた座台５８に浴槽袋６０を介して利用者が着座することができるから、座位姿勢で快適に入浴することができ、
浴槽袋６０は、側方から見た断面形状において、浴槽袋６０の上辺Ｓｕの前側から前辺Ｓｆの上側に至る部分を内方にくい込ませように形成された上側凹入部ＤＵを有するから、使用する水量を節約することができる。
第６の手段に係る発明によれば、前記袋支持体５０は、前記浴槽袋６０の側面部６０ｃを保持する左右一対の側方支持板５２と、前記浴槽袋６０の後側を左右方向に延びるジョイント板５４とを有し、それら側方支持板５２をジョイント板５４の両端に連結させ、この連結箇所及びジョイント板５４の幅方向中間部に屈折線５６と形成することで、浴槽袋６０を取り付けたままで折り畳み可能に形成したから、保管状態で場所を取らず、使い勝手がよい。
【図面の簡単な説明】
【００２０】
【図１】本発明の第１実施形態に係る簡易浴槽の側方から見た断面図である。
【図２】図１の簡易浴槽の分解斜視図である。
【図３】図１の簡易浴槽の斜視図である。
【図４】図１の簡易浴槽の変形例の側方から見た断面図である。
【図５】本発明の第２実施形態に係る簡易浴槽の適用例を側方から見た断面図である。
【図６】図５の簡易浴槽の適用例の斜視図である。
【図７】本発明の第３実施形態に係る簡易浴槽の側方から見た断面図である。
【図８】本発明の第４実施形態に係る簡易浴槽を示す図であり、同図（Ａ）は出入口を開放した状態の簡易浴槽の斜視図、同図（Ｂ）は出入口を閉じた状態の簡易浴槽の斜視図、同図（Ｃ）は前記（Ｂ）の状態の簡易浴槽の要部（側板及び回転アーム）の構成を後方から見た要部拡大図である。
【図９】本発明の第５実施形態に係る簡易浴槽を示す図であり、同図（Ａ）は分解状態での簡易浴槽の斜視図、同図（Ｂ）は出入口を閉じた状態の簡易浴槽の斜視図である。
【図１０】本発明の第６実施形態に係る簡易浴槽を示す斜視図である。
【図１１】本発明の第７実施形態に係る簡易浴槽を側方から見た断面図である。
【図１２】本発明の第８実施形態に係る簡易浴槽の概略図であり、同図（Ａ）は、当該簡易浴槽の縦断面図を、同図（Ｂ）は、当該簡易浴槽の斜視図である。
【図１３】図１２の簡易浴槽の折畳み工程の説明図であり、同図（Ａ）は、当該簡易浴槽の折畳み工程の途中の段階を、同図（Ｂ）は、当該簡易浴槽が折り畳まれた状態を示す図である。
【図１４】図１２の簡易浴槽の使用段階の説明図であり、同図（Ａ）は、フックを利用して簡易浴槽を既存の浴槽に固定した状態を示し、同図（Ｂ）は、つっかい棒を用いて槽を既存の浴槽に固定した状態を示している。
【図１５】本発明の参考例として、第８実施形態の変形例を示すものである。
【発明を実施するための最良の形態】
【００２１】
図１から図４は、本発明の第１実施形態に係る仮設用の簡易浴槽２を示している。
「仮設」とは、浴室の設備の一部と予め設けられたものではないという意味であり、前記簡易浴槽２は、浴室内に搬入し、その床面Ｆに載置することが可能に設けられている。簡易浴槽全体として搬入してもよいが、幾つかのパーツに分解して搬入できるように構成しても構わない。
本実施形態の簡易浴槽２は、浴槽本体４と、開閉具３０とで形成されている。これら部材は、軽量な材料（例えば合成樹脂や木材など）で形成することが好ましいが、必ずしもこれに限らない。
【００２２】
浴槽本体４は、前面及び上面開放の略箱形状に形成されている。具体的には、浴槽本体４は、左右一対の側板１０の下部同士を底板６で、側板１０の後部同士を後板８でそれぞれ連結してなる。好適な図示例では、この後板８は、側板１０の上端で形成される簡易浴槽２の上辺Ｓｕよりも上方に突出している。
前記一対の側板１０の前部の間には出入口Ｅが形成されている。
また開閉具３０は、前記出入口Ｅに対して水密にかつ着脱自在に設けられている。
【００２３】
本発明では、浴槽本体４は、側方から見た断面形状において、浴槽本体４の上辺Ｓｕの前側から前辺Ｓｆの上側に至る部分を内方にくい込ませるように形成された上側凹入部ＤＵを有している。
図示例の側板１０は、縦長矩形の板材の前上側の角部分を切り取って上側角取り部１１Ａを形成している。両側板の上側角取り部１１Ａは、側方から見て同じ形状であり、縦向きの第１縁部ｅ１と横向きの第２縁部ｅ２とを有する。
そして、両側板１０の相互に向かい合う面に、第１縁部ｅ１に沿う第１案内溝１２ａと、第２縁部ｅ２に沿う第２案内溝１２ｂとを形成する。また前記側板１０の下部前縁に沿う箇所及びこれらの箇所に連続する底板６の前部上面に第３案内溝１２ｃを形成している。
前記第１案内溝１２ａは簡易浴槽２の上辺Ｓｕ側に開口する第１挿入口ｉ１を、第２案内溝１２ｂは簡易浴槽２の前辺Ｓｆ側に開口する第２挿入口ｉ２を、第３案内溝１２ｃは、前記上側凹入部ＤＵ側に開口する第３挿入口ｉ３をそれぞれ有する。
前記開閉具３０は、前記第１案内溝１２ａ内へ水密に挿入可能な仕切り用上板３０ａと、前記第２案内溝１２ｂ内へ水密に挿入可能な仕切り用中板３０ｂと、前記第３案内溝１２ｃ内へ水密に挿入可能な下仕切り板３０ｃとで形成されている。
仕切り用上板３０ａ、仕切り用中板３０ｂ、及び下仕切り板３０ｃの各基端部にはそれぞれ取手３２が付設されている。
図１に示す状態で、仕切り用中板３０ｂの上面後部を横断する凹状受部Ｒ内に、仕切り用上板３０ａの先端部（下端部）が、また下仕切り板３０ｃの後面上部を横断する凹状受部Ｒに、仕切り用中板３０ｂの先端部（前端部）が、それぞれパッキンＰを介して水密に嵌入されるように形成している。また底板６の第３案内溝１２ｃ部分には、下仕切り板３０ｃの先端部（下端部）がパッキンＰを介して水密に嵌入されるように形成している。
これにより、開閉具３０に水圧がかかったときに、各仕切り板の左右方向両端部と案内溝とが、また仕切り用上板３０ａ及び仕切り用中板３０ｂの先端部と凹状受部Ｒとが、さらに下仕切り板３０ｃの先端部と前記第３案内溝１２ｃとがそれぞれ密接に噛み合い、出入口Ｅを水密に閉塞するように形成している。
前記第２案内溝１２ｂの先端側には、前述の如く、下仕切り板３０ｃの後面上部を横断する凹状受部Ｒに、仕切り用中板３０ｂの先端部（前端部）が嵌合された状態で、さらに仕切り用中板３０ｂを図１に想像線で示す如く後方へ移動させることが可能な空白（移動代１３）が設けられている。
好適な図示例では、利用者が仕切り用上板３０ａの手前のスペースで湯をすくって顔を洗うことが容易となるように、第１案内溝１２ａを、下後方から上前方へ傾斜する傾斜溝に形成している。これに伴い、側板１０上の第３案内溝部分は、第１案内溝１２ａと平行に、第２案内溝は第１案内溝１２ａと直交するように配置されている。もっとも、これらの構成は適宜変更することができ、例えば変形例である図４に示すように、前記第３案内溝１２ｃは垂直に形成してもよい。
【００２４】
また本発明では、浴槽本体４は、側方から見た断面形状において、浴槽本体４の下辺Ｓｌの後側から後辺Ｓｒの下側に至る部分を内方にくい込ませるように形成された下側凹入部ＤＬを有している。
本実施形態では、まず底板６の後半部を上方へ隆起させている。すなわち、図示の底板６は、前記一対の側板１０の前部下端に連結された第１底板部６ａと、この第１底板６ａの後端から隆起するとともに、両端部を両側板１０の後部に連結させた第２底板部６ｂと、第２底板部６ｂの上端から後板８の下端まで延びるとともに、両端部を両側板１０の後部に連結させた第３底板部６ｃとで形成している。この第３底板部６ｃは、椅子部ｃである水平板部に形成され、その上面は、利用者が腰掛けることが可能な着座面２２となっている。
図示例では、第３底板部６ｃの左右方向中間部には、利用者の身体を洗うのに便利な凹部７が設けられている。もっともこの構成は省略することができる。
また本実施形態では、第３底板部６ｃの下方の側板部分が脚板部１０ａとして浴室の床面Ｆに当接しており、利用者が着座面２２に座った状態での安定性を担保している。
なお、図示はしていないが、側板１０と後板８との間の隅部、及び、側板１０と各底板との間の隅部にアールを付けて、浴槽本体４の内表面が丸みを有するように形成すると、浴槽本体の内容積の無駄を更に少なくして、所定水位まで水を張るのに要する時間と水の量とを節約することができる。
【００２５】
前記構成において、本発明の簡易浴槽２を利用するときには、図２に示す開閉具３０が出入口Ｅから取り外された状態で、例えば利用者が介助者の手を借りて出入口Ｅから浴槽本体４内へ入り、着座面２２に座るようにすればよい。簡易浴槽２の壁を超える必要がないので、介助者の負担が小さく、利用者の身体を着座面２２まで安全に導くことができる。
介助者に出入口Ｅを開閉具３０で閉鎖するが、その手順は次の通りとすると好適である。
（１）仕切り用中板３０ｂの取手３２を把持して、図１に想像線で示すように、第２挿入口ｉ２より第２案内溝１２ｂの奥まで仕切り用中板３０ｂを引き込む。
（２）そして仕切り用中板３０ｂをその位置に留めたままで、下仕切り板３０ｃを第３挿入口ｉ３から第３案内溝１２ｃ内へ押し込み、下仕切り板３０ｃの先端部を底板６上の第３案内溝部分に嵌め込ませる。
（３）次に前記仕切り用中板３０ｂを前方へ戻して、仕切り用中板３０ｂの先端部を、下仕切り板３０ｃの上部に設けられた凹状受部Ｒ内に嵌め込ませる。
（４）次に、仕切り用上板３０ａを、第１挿入口ｉ１を介して第１案内溝１２ａ内に差し込ませ、仕切り用上板３０ａの先端部を、仕切り用中板３０ｂの上部上面に設けられた凹状受部Ｒ内に嵌め込ませる。
出入口Ｅが開閉具３０で閉鎖されたら、簡易浴槽２に湯を張ればよい。この際において、浴槽本体４に上側凹入部ＤＵ及び下側凹入部ＤＬが設けられているから、簡易浴槽２の内容積のうちの無駄なスペースを節減することができ、所要の水位まで湯を張る時間を短縮することができ、快適な入浴が保証される。
本実施形態では上側凹入部ＤＵ及び下側凹入部ＤＬを設けているが、その一方を形成することを省略することができる。
【００２６】
以下、本発明の他の実施形態を説明する。これらの構成において、第１実施形態と同じ構成については解説を省略する。
【００２７】
図５及び図６は、本発明の第２実施形態の簡易浴槽を示している。本実施形態では、前記一対の側板１０のうち第３底板部６ｃの下方の部分を除去することにより、当該箇所に下側角取り部１１Ｂが形成されるように設けたものである。これにより、前記第３底板部６ｃの下面で形成される被載置面２０を、既存の常設浴槽４０の周壁の上に載置できるようにしている。好適な図示例では、安全性を確保するために常設浴槽４０の周壁の上にパッキングＰを介して支持板４２を載置し、この支持板４２を介して前記第３底板部６ｃを常設浴槽４０の上に載置することができる。この構成によれば、常設浴槽を外部の支持台代わりとして、着座面２２の下側の被載置面を配置しているので、利用者の体重を安定して支えることができる。
【００２８】
図７は、本発明の第３実施形態の簡易浴槽を示している。本実施形態は、開閉具３０の構成をシャッタータイプに変更したものである。好適な図示例では、左右一対の側板１０の内面に形成された案内溝１２内に蛇腹式のシャッターの両端部をスライド可能に挿入させている。
【００２９】
図８は、本発明の第４実施形態の簡易浴槽を示している。本実施形態では、開閉具３０の構成を、出入口Ｅの口縁Ｂの一部にヒンジ機構３４を介して開閉自在な回転扉としたものである。図示例の口縁Ｂは、側板１０の前縁である第１口縁部ｂ１及び底板６の前縁である第２口縁部ｂ２で形成され、第２口縁部ｂ２にヒンジ機構３４を設けている。
そしてこの場合には、浴槽本体４及び回転扉の表面を防水シートで覆うとともに、回転扉の左右両端部と側板１０の前縁（第１口縁部ｂ１）の間にジッパー式のファスナーｆを設けており、出入口Ｅの閉鎖状態を維持できるように設けている。ｆａ及びｆｂは、回転扉の左右両端部と底板６の前端にそれぞれ付設された従来公知のジッパー歯（務歯）である。ファスナーとしては、従来公知の防水ファスナーを用いるとよい。
好適な図示例では、前記側板１０を浴槽本体４の底板６及び後板８に対して着脱自在に設けている。この場合には、第３底板部６ｃの下面に脚部２４を設ける。この脚部に関しては、図１０の図示例を参考とされたい。また後板８の左右側面の上部には、回転アーム２６の上部が回転軸２６ａを介して枢着されている。この回転アーム２６は、下方へ延びる状態と前方へ延びる状態との間で回転可能に形成され、簡易浴槽を搬送する際には、下方へ延びる状態としておき、浴室中で側板１０を取り付けるときには、前方へ延びる状態へ展開し、固定できるように形成されている。図示はしないが、前記回転軸２６ａの付近には、前方へ延びる状態を固定できる固定手段が設けられている。
本実施形態の側板１０は、柔軟で防水性を有する素材（塩化ビニール樹脂など）からなるシートとして形成されており、その上端部は折り返してループ状部１０ｂとしてある。このループ状部１０ｂを、前方へ延びる状態の回転アーム２６の周囲に、前方側から装着する（図８（Ｃ）参照）。図示例では、前記シートのうちの後側上部を切り欠いて、この切欠き部１０ｄ内に回転アーム２６の回転軸２６ａが配置されるように形成されているが、その構造は適宜変更することができる。前記後板８及び底板６の左右側面と、前記側板１０内面のうちで対応する箇所とには、相互に付着する水密性の面ファスナ１０ｃが形成されている。この面ファスナ１０ｃは、完全な水密性を保証するものである必要はなく、通常の入浴時間の間に浴槽本体４に張った湯の大部分を浴槽内に留めておける程度で足りる。本簡易浴槽は浴室内で使用されるものであり、多少周囲に湯が漏れても問題はないからである。
さらに図示の例では、前記面ファスナを形成した箇所において、前記側板１０であるシートを貫通して固定具２８を取り付けられている。シートと側板及び後板の側面及びシートの対応箇所には、固定具挿入穴ｈが設けられている。
【００３０】
図９は、本発明の第５実施形態の簡易浴槽を示している。本実施形態では、開閉具３０を全体として柔軟な一枚のシートに形成するとともに、出入口Ｅの口縁Ｂ（図示例で第１口縁部ｂ１及び第２口縁部ｂ２の双方）の全体に亘って、当該口縁に付設されたジッパー歯ｆａとこれに対応する開閉具３０の縁部に付設されたジッパー歯ｆｂとを含むファスナーｆが形成されている。このファスナーにより、開閉具３０と浴槽本体４とを分離可能に結合されている。このような構造とすることにより、ファスナーを閉じる一つの動作によって出入口Ｅを閉鎖することができるので、使い勝手がよい。
【００３１】
図１０は、本発明の第６実施形態の簡易浴槽を示している。本実施形態では、第１実施形態における脚板部１０ａを省略して、第３底板部６ｃから下方へ脚棒タイプの脚部２４を突設してなる。脚部の下端面は、第１側板部６ａの下面とほぼ面一となるように形成され、浴槽の床面に当接するように設けられている。
【００３２】
図１１は、本発明の第７実施形態の簡易浴槽を示している。本実施形態では、第１実施形態（チェアータイプ）のように底板６の後部を隆起させた構造の代わりに、平坦で水平な底板６を採用した座椅子タイプのものであり、底板６の上面を着座面２２とするともに、好適な図示例では、前記底板６から適当数（図示例では４つ）の脚部２４を突出している。利用者が利用するときには、出入口Ｅに開閉具３０を取り付けた状態で底板６の上に例えば胡坐をかくように座ればよい。脚部２４を付設した理由は、浴室の床面と着座面２２との間にある程度の高低差があった方が、介助者が利用者を着座面に座らせるときに容易だからである。
前記脚部２４は、必須の部材ではなく、当該脚部を省略して、図６の如く浴槽の上に架け渡した適数の支持板４４の上に前記底板６を載置するようにしてもよい。
【００３３】
図１２から図１４は、本発明の第８実施形態の簡易浴槽を示している。本実施形態の簡易浴槽は、浴槽本体である浴槽袋６０と、袋支持体５０と、座台５８とで構成されている。
浴槽袋６０は、上面開口で袋状の部材であり、底面部６０ａと後面部６０ｂと左右一対の側面部６０ｃと前面部６０ｄとを有する。この前面部６０ｄには、上端から下端付近に亘り、開口部６２を形成している。図示例では、この開口部６２には、開閉手段６３を設ける。図示の開閉手段はファスナーとして形成しているが、防水機能があればどのような構造でも構わない。
浴槽袋６０は、柔軟で防水性を有する素材（塩化ビニール樹脂など）であるシートから形成するとよい。例えば浴槽袋６０の左右一対の側面部６０ｃを形成する２枚のシートと、前面部６０ｄから底面部６０ａを経て後面部６０ｂへ至る一枚のシートとを接合して形成してもよい。
袋支持体５０は、左右一対の側方支持板５２と、ジョイント板５４とで形成されている。
前記側方支持板５２は、前記浴槽袋６０の側面部６０ｃに当接し、この側面部６０ｃが外側に膨らまないように支えている。側方支持板５２は、前記側面部６０ｃに固定されている。
図示の側方支持板５２は、第１縦板部５２ａの上端部・上下方向中間部・下端部から、それぞれ第１横板部５２ｃ、第２横板部５２ｄ、第３横板部５２ｅを前方突出するとともに、これら横板部の前端部を第２縦板部５２ｂで連結している。もっともこれらの構成は適宜変更することができる。袋支持体５０は、少なくとも一対の側方支持板５２の下端面を床面に当接させることにより、起立状態を維持するように形成されている。
前記ジョイント板５４は、前記浴槽袋６０の後側を左右方向に延びており、その両端部を側方支持板５２に連結させている。
この連結箇所において、ジョイント板５４の長手方向の両端部の前縁には、側方支持板５２の内面と接合されたヒンジ５７が付設されている。前記ジョイント板５４は、厚手の板材であり、ジョイント板の端面は、図１２（Ｂ）に示す状態で側方支持板５２の内面に当接されている。
従って、ジョイント板５４と側方支持板５２との連結箇所は、図１３（Ａ）から（Ｂ）に示すように、両板の間の角度が直角から鋭角になるように変化するが、逆に直角から鈍角へは変化しないように形成されている。
またジョイント板５４は、長手方向中間部で切断して２枚の半板部５５に分割され、この分箇所で、各半部の端部をヒンジ５７で連結としている。前記ヒンジ５７は、連結箇所の端部の前縁同士を連結しており、そして図１２（Ｂ）に示す状態で各半板部５５の端面同士は相互に突き当たっている。
従って、半板部５５同士の連結箇所は、図１３（Ａ）から（Ｂ）に示すように、直線的な状態から前側（浴槽袋６０側）へ屈折することは可能であるが、逆に直線的な状態から後側（浴槽袋６０と反対側）との間へ変形しないように形成されている。
以下、説明の便宜上、ジョイント板５４と側方支持板５２との連結箇所、及び、半板部５５同士の連結箇所を屈折線５６というものとする。
これら屈折線５６の作用は、図１２（Ｂ）に示す状態において、浴槽袋６０内に湯を張った状態で、その水圧に抵抗して浴槽袋６０が水平方向へ膨らむことを防止し、他方、浴槽袋６０内の湯を排水したときには、内側へ折り畳むことを可能とすることである。
なお、図示例の構成は好適な一例に過ぎず、同様の作用を奏するものであればどのような構造でも構わない。
本実施形態では、ジョイント板５４として、第１ジョイント板５４Ａと、第２ジョイント板５４Ｂと、第３ジョイント板５４Ｃとを設けている。もっともこれらの構造は適宜変更することができる。
前記第１ジョイント板５４Ａは、前記第１縦板部５２ａの上端部同士の間に架設されている。この第１ジョイント板５４Ａは、入浴中の利用者が背を持たれかけるための背もたれとしての役割を有する。
また前記第２ジョイント板５４Ｂは、第２横板部５２ｄ同士、第３横板部５２ｅ同士の間に架設されており、さらに前記第３ジョイント板５４Ｃは、第１縦板部５２ａの下半部同士の間に架設されている。実施例の第２ジョイント板５４Ｂ及び第３ジョイント板５４Ｃは、同じ高さに形成されており、後述の座板５８ａの支持手段を兼ねる。第２ジョイント板５４Ｂ及び第３ジョイント板５４Ｃの各下端面は、前記側方支持板５２の下端面と面一に形成され、床面へ当接することが可能にするように設けられている。
座台５８は、本実施形態において、座板５８ａとこの座板の下面から垂下された支持脚５８ｂとからなり、前記座板５８ａを第２ジョイント板５４Ｂ及び第３ジョイント板５４Ｃの間に架け渡すとともに、支持脚５８ｂを床面の下面に当接させている。もっともこれら構成は適宜変更することができる。例えば第２ジョイント板５４Ｂ及び第３ジョイント板５４Ｃだけで利用者の体重を十分に支えることができるときには、前記支持脚５８ｂは省略しても構わない。支持脚５８ｂは軽量化のために支持筒に形成しているが、筒以外の形態（支持棒）でも構わない。
図１２（Ａ）は、本実施形態の縦断面図を示している。浴槽袋６０の底面部６０ａは、足置き程度の広さを有する。後面部６０ｂは、第２ジョイント板５４Ｂの前面及び座板５８ａの上面に沿って前記第１ジョイント板５４Ａの前面まで延びている。この形態は、側方から見て第１実施形態にいう下側凹入部ＤＬに相当する。
この下側凹入部ＤＬは、側方から見た断面形状において、浴槽本体である浴槽袋６０の下辺Ｓｌの後側から後辺Ｓｒの下側に至る部分を内方にくい込ませるように形成する。
前記浴槽袋６０は、側方から見て第１実施形態にいう上側凹入部ＤＵを有する。
この上側凹入部ＤＵは、側方から見た断面形状において、浴槽本体である浴槽袋６０の上辺Ｓｕの前側から前辺Ｓｆの上側に至る部分を内方にくい込ませるように形成される。
これら下側凹入部ＤＬ及び上側凹入部ＤＵは、予め浴槽袋６０の各側面部６０ｃを形成するシートの各凹入部に対応する箇所を切り欠くことにより、容易に形成することができる。
これら下側凹入部ＤＬ及び上側凹入部ＤＵの構造により、浴槽袋６０内の水の量を節約することができ、湯を張るために要する時間を短くすることができ、さらに袋支持体５０が負担する支持力を軽減することができる。
図１２（Ｂ）は本実施形態の簡易浴槽の斜視図を描いたものであり、説明の都合上、浴槽袋については、想像線で描いている。前記側方支持板５２の外面には、簡易浴槽の固定のための補助具６６を取り付けることが可能に形成している。これらについては後述する。
上記構成において、図１２（Ｂ）に示す状態から、開閉手段６３を引き下げて開口部６２を下側まで開放すると、利用者が開口部６２を通って浴槽袋６０内に入り、この袋の一部を介して座板５８ａの上に腰掛けることができる。この状態から開閉手段６３を閉じて、浴槽袋６０内に湯を入れることができる。
入浴が終了したら、開口部６２を開放して浴槽袋６０内の湯を排水し、さらに図１３（Ａ）に示すように座台５８及び補助具６６を取り外し、そして、同図（Ｂ）に示す如く、浴槽袋６０ごと袋支持体５０を折り曲げ、嵩張らないようにして適所に保管するとよい。
本実施形態では、袋支持体５０の側方支持板５２に、補助具６６として、つっかい棒６７及びフック７０を取り付けている。
前記つっかい棒６７は、棒部６８の先端に大径の当接用ディスク６９を付設している。使用するときには、前記側方支持板５２の外面に形成された第１取付凹部５３ａに前記棒部６８の根元部６８ａを嵌め込み、そしてつっかい棒６７の当接用ディスク６９を常設浴場４０の側面又は浴室の壁に突き当て、簡易浴槽の位置決めを行う。
前記フック７０は、側方支持板５２に取り付けるための取付け板７０ａの上端から折返し板部７０ｂを折り返す。図示例の取付け板７０ａは、ボルト留め孔を開口している。使用するときには、前記側方支持板５２の外面に形成された第２取付凹部５３ｂに前記取付け板７０ａをボルト留めするとともに、前記折返し板部７０ｂを常設浴場４０の壁に係止させればよい。
図１５は、本発明の参考例として、図１２に示す簡易浴槽のうちで上側凹入部ＤＵを省略したものである。それ以外の構成は、図１２に示す例と同じである。
【符号の説明】
【００３４】
２…簡易浴槽  ４…浴槽本体
６…底板  ６ａ…第１底板部  ６ｂ…第２底板部
６ｃ…第３底板部  ７…凹部
８…後板  １０…側板  １０ａ…脚板部  １０ｂ…ループ状部  １０ｃ…面ファスナ
１１Ａ…上側角取り部  １１Ｂ…下側角取り部
１２…案内溝  １２ａ…第１案内溝  １２ｂ…第２案内溝  １２ｃ…第３案内溝
１３…移動代  ２０…被載置面  ２２…着座面
２４…脚部（脚棒）  ２６…回転アーム  ２６ａ…回転軸  ２８…固定具
３０…開閉具  ３０ａ…仕切り用上板  ３０ｂ…仕切り用中板  ３０ｃ…下仕切り板
３２…取手  ３４…ヒンジ部（ヒンジ機構）
４０…支持台（常設浴槽）  ４２…支持板
５０…袋支持体  ５２…側方支持板  ５２ａ…第１縦板部  ５２ｂ…第２縦板部
５２ｃ…第１横板部  ５２ｄ…第２横板部  ５２ｅ…第３横板部
５３…補助具取付け部  ５３ａ…第１取付凹部  ５３ｂ…第２取付凹部
５４…ジョイント板  ５４Ａ…第１ジョイント板  ５４Ｂ…第２ジョイント板
５４Ｃ…第３ジョイント板  ５５…半板部  ５６…屈折線  ５７…ヒンジ
５８…座台  ５８ａ…座板  ５８ｂ…支持脚
６０…浴槽袋（浴槽本体）  ６０ａ…底面部  ６０ｂ…後面部  ６０ｃ…側面部
６０ｄ…前面部  ６２…開口部  ６３…開閉手段（ファスナ）
６６…補助具  ６７…つっかい棒  ６８…棒部  ６８ａ…固定端部
６９…当接用ディスク
７０…フック  ７０ａ…取付け板部  ７０ｂ…折返し板部
Ｂ…口縁  ｂ１…第１口縁部  ｂ２…第２口縁部
Ｃ…椅子部  ＤＵ…上側凹入部  ＤＬ…下側凹入部  
Ｅ…出入口  ｅ１…第１縁部（縦縁部）  ｅ２…第２縁部（横縁部）
Ｆ…床面  ｆ…ファスナー（ジッパー）  ｆａ、ｆｂ…ジッパー歯
ｈ…固定具挿入穴
ｉ１…第１挿入口  ｉ２…第２挿入口  ｉ３…第３挿入口
Ｒ…凹状受部  Ｐ…パッキン  Ｓｆ…前辺  Ｓｒ…後辺  Ｓｌ…下辺  Ｓｕ…上辺
【図１】
2019030665.tif 000003
【図２】
2019030665.tif 000004
【図３】
2019030665.tif 000005
【図４】
2019030665.tif 000006
【図５】
2019030665.tif 000007
【図６】
2019030665.tif 000008
【図７】
2019030665.tif 000009
【図８】
2019030665.tif 000010
【図９】
2019030665.tif 000011
【図１０】
2019030665.tif 000012
【図１１】
2019030665.tif 000013
【図１２】
2019030665.tif 000014
【図１３】
2019030665.tif 000015
【図１４】
2019030665.tif 000016
【図１５】
2019030665.tif 000017